(57)【特許請求の範囲】
【請求項１】
配管を支持するための補助金具が取付けられる部材であって、第一板状部、該第一板状部に対して略垂直方向に折り曲げられた第二板状部、及び該第二板状部に対して略垂直方向に折り曲げられた第三板状部を有し、前記第一板状部及び前記第三板状部が互いに対向する、断面略コ字形状に形成された金具本体と、
前記第一板状部及び前記第三板状部の間に挿入された被装着部材に対して、前記第一板状部側から螺合させることにより、前記第三板状部との間で前記装着部材を狭持する雄螺子と
を備える配管支持金具において、
前記補助金具を取付けるための取付部が、前記第一板状部、前記第二板状部、及び前記第三板状部の全ての面に夫々形成され、
前記雄螺子は、前記第一板状部の幅方向両端から外方向に突出された一対の突設部に夫々螺合され、互いに対向する前記第一板状部及び第三板状部の外側で前記被装着部材を支持する
ことを特徴とする配管支持金具。
【請求項２】
前記第一板状部及び前記第三板状部の少なくとも一方から前記第二板状部の反対側に延出された延出部と、
該延出部に形成され、前記補助金具を取付けることが可能な第二取付部と
をさらに備えることを特徴とする請求項１に記載の配管支持金具。
【請求項３】
前記延出部は、前記第一板状部及び前記第三板状部の一方に対してのみ形成されていることを特徴とする請求項２に記載の配管支持金具。
【発明の詳細な説明】
【０００１】
【発明の属する技術分野】
本発明は、配管支持金具に関するものであり、特に、電線を配線する電路管や架台を形成する支柱等の配管を支持するための配管支持金具に関するものである。
【０００２】
【従来の技術】
従来より、Ｈ形鋼やＬ形鋼に電路管等を支持するための配管支持金具として、図６に示すものが知られている。この配管支持金具５０は、Ｈ形鋼等の被装着部材を挟持するように取付けられるものであり、断面が略コ字形形状である金具本体５１と、金具本体５１の第一板状部５２に螺合された雄螺子５３と、金具本体５１の第二板状部５４及び第三板状部５５に穿設された二つの取付孔５６に夫々取付けることが可能な補助金具５７とから構成されている。
【０００３】
つまり、第一板状部５２と第三板状部５５との間に、被装着部材を挿入した状態で、雄螺子５３を締付けると、雄螺子５３の先端と第三板状部５５によって被装着部材が挟持され、金具本体５１が被装着部材に固定される。そして、この状態で、補助金具５７を介して、第二板状部５４または第三板状部５５に配管を取付けることにより、被装着部材に対して配管が支持された状態となる。なお、補助金具５７としては、例えば、配管の外周面を挟持した状態で互いに締結される一対の固定バンドからなり、固定バンドの一端に形成された掛止部５７ａを取付孔５６に掛止することにより、配管を金具本体５１に取付けるものがある。
【０００４】
出願人は、本願出願時において、以上の従来技術が記載されている文献として、以下のものを知見している。
【特許文献１】
実公昭  ５２−２５６７９号公報
【０００５】
【発明が解決しようとする課題】
しかし、上記の配管支持金具５０では、第一板状部５２の略中心に雄螺子５３を螺合させることから、第一板状部５２に取付孔５６を穿設させることができなかった。なお、第一板状部５２を比較的長く形成し、雄螺子５３を螺合させるための螺子孔と、補助金具５７を取付けるための取付孔５６とを第一板状部５２上に並設することも考えられるが、螺合された雄螺子５３の頭部５３ａが第一板状部５２の上面から突出するため、配管を支持する際、雄螺子５３の頭部５３ａが障害となり、配管を支持することが困難となる恐れがある。
【０００６】
そこで、現場では、被装着部材の形状と、配管の配設場所及び配設方向とを考慮しながら、金具本体５１の向きを決めるようにしている。例えば、被装着部材に対して手前側に配管を配設したい場合には、取付孔５６が穿設された第三板状部５５を被装着部材の前方に位置させ、雄螺子５３が螺合された第一板状部５２を被装着部材の後方に位置させた状態で固定させるようにしている。ところが、この場合、雄螺子５３を螺合させる際に操作される雄螺子５３の頭部５３ａが被装着部材の後方に位置することから締付操作が困難となる恐れがあった。特に、被装着部材の後方に十分な空間が確保されていない場合には、作業者の手や工具を挿入することが困難となり、作業者の負担が極めて大きくなっていた。
【０００７】
また、従来の配管支持金具５０では、被装着部材の一方の面に対して、第一板状部５２に螺合された一本の雄螺子５３を圧接させることにより固定しているため、例えば被装着部材と金具本体５１との間で雄螺子５３を軸とした回転方向の力が加わると、雄螺子５３が緩む方向に回転する恐れがあった。つまり、一点支持であるため、安定して固定させることができなかった。
【０００８】
さらに、従来の金具本体５１は、第二板状部５４及び第三板状部５５に対して、取付孔５６が夫々一つしか設けられていないため、例えば、二本の配管を並設する場合には、互いに垂直となる第二板状部５４と第三板状部５５とに配管を支持させなければならなかった。つまり、一方の配管を被装着部材の前側に配設した場合には、他方の配管は例えば被装着部材の左側等、一方の配管に対して９０°異なる面に配設しなければならなかった。このため、二本の配管は互いに段違いとなり、全体の見栄えを損わせるとともに、設置に際し比較的広いスペースを必要としていた。
【０００９】
そこで、本発明は、上記の実状に鑑み、被装着部材に対して金具本体を極めて容易に且つ安定して取付けることができるとともに、支持可能な配管の本数を増加させることが可能な配管支持金具の提供を第一の課題とし、さらに、被装着部材への取付け易さを損なうことなく二本の配管を見栄えよく配設させることが可能な配管支持金具の提供を第二の課題とする。
【００１０】
【課題を解決するための手段】
請求項１の発明にかかる配管支持金具は、配管を支持するための補助金具が取付けられる部材であって、略板状形状の第一板状部、該第一板状部に対して略垂直方向に折り曲げられた第二板状部、及び該第二板状部に対して略垂直方向に折り曲げられた第三板状部を有し、前記第一板状部及び前記第三板状部が互いに対向する、断面略コ字形状に形成された金具本体と、前記第一板状部及び前記第三板状部の間に挿入された被装着部材に対して、前記第一板状部側から螺合させることにより、前記第三板状部との間で前記装着部材を狭持する雄螺子とを備える配管支持金具において、前記補助金具を取付けるための取付部が、前記第一板状部、前記第二板状部、及び前記第三板状部の全ての面に夫々形成され、前記雄螺子は、前記第一板状部の幅方向両端から外方向に突出された一対の突設部に夫々螺合され、互いに対向する前記第一板状部及び第三板状部の外側で前記被装着部材を支持するものである。
【００１１】
ここで、「略板状形状」とは、板状形状は勿論、例えば、湾曲して形成されたものも含む。「取付部」としては夫々の板状部に穿設された取付孔を例示することができる。
【００１２】
したがって、請求項１の発明の配管支持金具によれば、被装着部材が第一板状部及び第三板状部の間に挿入され、その後、雄螺子が一対の突設部に螺合されると、被装着部材は雄螺子と第三板状部との協働で挟持される。被装着部材は金具本体に対して二点で支持されるため、雄螺子が緩む方向に回転する恐れがなく、安定して固定することが可能である。さらに配管を第一板状部に取付ける場合でも、雄螺子頭部が障害とならないため、配管を支持するための補助金具を取付可能である。これにより、配管を支持するための補助金具は第一板状部、第二板状部、及び第三板状部のいずれにも取付可能となり、配管の配設場所によって、雄螺子位置が規制されず、雄螺子を螺合する操作に合わせて自由に金具取付方向を変更することが可能である。
【００１３】
請求項２の発明にかかる配管支持金具は、請求項１に記載の配管支持金具において、前記第一板状部及び前記第三板状部の少なくとも一方から前記第二板状部の反対側に延出された延出部と、該延出部に形成され、前記補助金具を取付けることが可能な第二取付部とをさらに備えるものである。
【００１４】
したがって、請求項２の発明の配管支持金具によれば、請求項１の発明の作用に加え、第二取付部が備えられているため、支持可能な配管の本数が増加する。延出された延出部に備えられた第二取付部に配管を配設することで、一つの板状部に配管を二本並設することが可能となり、全体の見栄えが向上する。
【００１５】
請求項３の発明にかかる配管支持金具は、請求項２に記載の配管支持金具において、前記延出部は、前記第一板状部及び前記第三板状部の一方に対してのみ形成されているものである。
【００１６】
ところで、請求項２の構成において、延出部が第一板状部及び第三板状部の両方に対して形成された場合には、以下の不都合が生じる。つまり、Ｈ型鋼やＬ型鋼には第一板状部及び第三板状部の間に挿入される部分に対して垂直な面が存在し、それらは一方向のみに形成されているが、第一板状部及び第三板状部の両方に延出部が形成されていると、垂直面が障害となり、配管支持金具を取付けることができなくなる恐れがある。なお雄螺子が螺合される突設部の位置を延出部先端に変更すれば、取付可能となるが、設置に際し比較的広いスペースが必要となる。しかし、請求項３の発明の配管支持金具によれば、請求項２の発明の作用に加え、延出部が形成されているのが、第一板状部及び第三板状部のどちらか一方であるため、被装着部材が挿入される際、垂直面の影響を受けずに配管支持金具を取付可能であり、設置時に、広いスペースを必要としない。
【００１７】
【発明の実施の形態】
以下、本発明の第一実施形態である配管支持金具１０について、図１、図２及び図３に基づき説明する。図１は配管支持金具１０の斜視図であり、図２は配管支持金具１０の正面図である。図３は配管支持金具１０の使用状態を説明するための説明図である。本実施形態の配管支持金具１０は電路管や支柱等を支持するためのものであり、主な構成として、金具本体１、取付部２、突設部３及び雄螺子４を具備している。
【００１８】
図１及び図２に示すように、金具本体１は第一板状部５と、第一板状部５に対して垂直方向に折り曲げられた第二板状部６と、第二板状部６に対して垂直方向に折り曲げられた第三板状部７とから形成され、断面略コ字形状を呈している。さらに夫々の板状部５，６，７の幅方向両端には垂直外方向に折れ曲がった補強部８が形成されている。そして補強部８の端部はコ字形状内周方向に延出され、補強延出部９が形成されており、補強延出部９の先端は板状部５，６，７よりも内側に位置している。第三板状部７から延出された補強延出部９の先端には滑り止めを目的として波状部１２が形成されている。
【００１９】
取付部２は第一板状部５、第二板状部６、及び第三板状部７の夫々に形成されており、本例では取付孔で構成されている。
【００２０】
図３に示すように、補助金具１６は配管１４を半円状の挟持部１５で挟止する構造になっており、一端には配管支持金具１０の取付部２に掛止可能なように掛止部１３が備えられ、他端は、配管１４を挟止した半円状の挟持部１５が延設された部分に貫通孔（図示しない）が穿設され、貫通孔に通されたボルト１７をナット１８に対して締め付けることにより、挟止調整可能な構造になっている。補助金具１６の掛止部１３が配管支持金具１０の取付部２に掛止され、固定される。
【００２１】
図１及び図２に示すように、突設部３は、第一板状部５における補強延出部９の幅方向下端から外方向に突出されている。そして雄螺子４は、被装着部材を第三板状部７との協働により挟持するように、突設部３に対して螺合されるが、突設部３は補強延出部９の下端から突出しているため、雄螺子４の頭部は配管１４を支持する際、障害とならない。
【００２２】
ここで、第一実施形態の配管支持金具１０の使用方法について図３に基づき説明する。図３に示す配管支持金具１０を用いて配電管や支柱等の配管１４を支持するためには、まず、被装着部材１１が、配管支持金具１０の第一板状部５と第三板状部７との間に挿入されるよう配管支持金具１０を設置する。その後、雄螺子４を一対の突設部３に螺合すると、挿入された被装着部材１１は第三板状部７（詳しくは波状部１２）と雄螺子４との協働によって挟持される。さらに電路管や支柱等の配管１４に取り付けられた補助金具１６の掛止部１３を配管支持金具１０の取付部２に掛止し、固定する。
【００２３】
このように、第一実施形態の配管支持金具１０によれば、被装着部材１１に対して第三板状部７と２個所の雄螺子４で固定されるため、被装着部材１１と金具本体１との間で雄螺子４が緩む方向に回転する力が加わった場合でも、雄螺子４が緩むことがなく、配管支持金具１０の位置がずれる可能性は低減される。すなわち配管支持金具１０を安定して固定させることができる。
【００２４】
雄螺子４が螺合される突設部３は、第一板状部５の幅方向両端に形成されているため、雄螺子４が螺合される際、雄螺子４の頭部が障害とならず、電路管や支柱等の配管１４に取り付けられた補助金具１６の掛止部１３は、第一板状部５にも掛止可能である。これにより、配管１４の配設場所によって雄螺子４の位置が規制されなくなり、雄螺子４を螺合する操作に合わせて自由に金具取付方向を変更することが可能である。
【００２５】
次に、本発明の第二実施形態である配管支持金具４０について、図４及び図５に基づき説明する。図４は配管支持金具４０の斜視図であり、図５は配管支持金具４０の使用状態を説明するための説明図である。主な構成として、第一実施形態の配管支持金具１０の構成に加え、第二取付部４５を有する第四板状部４４を具備している。なお、第一実施形態の配管支持金具１０と同様の構成については同一の番号を付し詳細な説明を省略する。
【００２６】
図４に示すように、第四板状部４４は、第三板状部７から第二板状部６の反対側に延出されて形成され、第二取付部４５は取付孔で構成されている。
【００２７】
ここで、第二実施形態の配管支持金具４０の使用方法について図５に基づき説明する。図５に示す配管支持金具４０を用いて配電管や支柱等の配管１４を支持するためには、配管支持金具１０と同様に、まず、被装着部材１１が、配管支持金具４０の第一板状部５と第三板状部７との間に挿入されるよう配管支持金具４０を設置する。挿入された被装着部材１１は第三板状部７と雄螺子４との協働によって挟持される。また、電路管や支柱等の配管１４に取り付けられた補助金具１６は、配管支持金具４０の取付部２に掛止部１３を掛止して固定するが、第二板状部６の反対側に延出された第四板状部４４の第二取付部４５にも掛止することが可能であり、この場合、二本の配管１４が並設される。
【００２８】
このように第二実施形態の配管支持金具４０によれば、第二板状部６の反対側に延出された第四板状部４４は、第一板状部５及び第三板状部７のいずれか一方に対して形成されているため、被装着部材１１が挿入される際、垂直面１１ａの影響を受けず取付可能であり、設置に際し、広いスペースを必要としない。
【００２９】
第四板状部４４が形成されることによって、例えば、Ｌ型鋼を挿入する時の挿入部、すなわち、第三板状部７と接する面が長くなっているような被装着部材１１に配管支持金具を取付ける場合には、被装着部材１１と第四波状部４４との接触領域が増加するため、被装着部材１１に配管支持金具１０が固定される際の挟止強度は増加する。
【００３０】
第三板状部７から延出されて形成されている第四板状部４４には第二取付部４５が備えられているため、支持される配管１４の本数が増加する。さらに、第三板状部７と第四板状部４４とからなる一つの面に配管１４を二本並設することが可能となり、全体の見栄えが向上する。
【００３１】
ところで、上記第一実施形態の配管支持金具１０では、第一板状部５、第二板状部６、及び第三板状部７の夫々に取付孔で構成された取付部２を設け、取付部２に補助金具１６の掛止部１３を掛止する構成を示したが、取付手段としてはこの構成に限定されるものでなくてもよい。具体的には、補助金具に貫通穴が穿設され、配管支持金具の第一板状部５、第二板状部６、及び第三板状部７の夫々には螺子穴を有し、雄螺子を補助金具の貫通穴に通して配管支持金具の各板状部５，６，７に螺合することにより、取付可能な構成にしてもよい。
【００３２】
また、上記第一実施形態の配管支持金具１０では、コ字形状内周縁のうち第三板状部７から延出された補強延出部９には、被装着部材に対して滑り止めを目的として、波状部１２が形成されているものを示したが、防滑材が貼付されている構成にしてもよい。
【００３３】
【発明の効果】
請求項１の発明の配管支持金具は、被装着部材が第一板状部及び第三板状部の間に挿入され、その後、雄螺子が第一板状部の幅方向両端から外方向に突出された一対の突設部に螺合されると、被装着部材は、雄螺子と第三板状部との協働で挟持される。被装着部材と金具本体は二点で支持されるため、安定して固定することが可能である。さらに、配管が第一板状部、第二板状部、及び第三板状部の夫々に取付可能となるため、配管の配設位置によって、雄螺子位置が規制されず、雄螺子を螺合する操作に合わせて、自由に金具取付方向を変更することが可能である。これによって、配管支持金具の取付が容易となり、作業者の負担を軽減することができる。
【００３４】
請求項２の発明の配管支持金具は、請求項１の発明の効果に加え、支持可能な配管の本数が増加し、一つの板状部に配管を二本並設することが可能となり、全体の見栄えが向上する。
【００３５】
請求項３の発明の配管支持金具は、請求項２の発明の効果に加え、延出部が形成されているのが第一板状部及び第三板状部のいずれか一方であるため、Ｈ型鋼やＬ型鋼などの被装着部材が挿入される際、第一板状部及び第三板状部の間に挿入される部分に対して垂直に一方向のみに形成されている垂直面が障害とならず、設置に際し、広いスペースを必要とせず取付可能である。
【図面の簡単な説明】
【図１】本発明の第一実施形態である配管支持金具の構成を示す斜視図である。
【図２】本発明の第一実施形態である配管支持金具の構成を示す正面図である。
【図３】本発明の第一実施形態である配管支持金具の使用状態を説明するための説明図である。
【図４】本発明の第二実施形態である配管支持金具の構成を示す斜視図である。
【図５】本発明の第二実施形態である配管支持金具の使用状態を説明するための説明図である。
【図６】従来の配管支持金具を説明するための説明図である。
【符号の説明】
１  金具本体
２  取付部
３  突設部
４  雄螺子
５  第一板状部
６  第二板状部
７  第三板状部
１０，４０  配管支持金具
１１  被装着部材
１４  配管
４４  第四板状部
４５  第二取付部
５７  補助金具
【図１】
0003588610.tif 000002
【図２】
0003588610.tif 000003
【図３】
0003588610.tif 000004
【図４】
0003588610.tif 000005
【図５】
0003588610.tif 000006
【図６】
0003588610.tif 000007